(57)【要約】【課題】  泡の量が非常に多い場合は、十分な対処方法を講じる一方、それよりも少ない場合は、簡易で短時間の対処方法を講じて、洗浄コストや洗浄に要する資源が余分に消費されることを防止する。【解決手段】  洗浄工程実行前に給水を開始してから所定水位に達するまでの時間ｋ０に対して、洗浄工程実行開始後の所定時点で補水を開始してから所定水位に達するまでの時間ｈ０が占める比率に基づいて、レベル１＝正常状態、レベル２＝軽度のエア噛み状態、レベル３＝泡漏れ状態のいずれであるかを判定する。レベル１と判定された場合は、レベル１モードの運転を実行し、レベル２モードと判定された場合は、レベル２モードの運転（洗浄水の入替え処理）を実行し、レベル３モードと判定された場合は、レベル３モードの運転（泡消処理）を実行する。【選択図】  図３
2005130979.tif 000002
【特許請求の範囲】
【請求項１】
洗浄工程実行前に給水を開始してから所定水位に達するまでの時間に対して、洗浄工程実行開始後の所定時点で補水を開始してから所定水位に達するまでの時間が占める比率に基づいて、
(1)洗浄槽内で泡が発生していない状態、
(2)洗浄槽内で泡が発生しているが洗浄槽内に収まる状態、
(3)洗浄槽内で泡が発生しており洗浄槽から溢れるおそれのある状態、
のいずれであるかを判定し、
前記(2)の状態と判定したときは、洗浄水の入替え処理を実行し、
前記(3)の状態と判定したときは、消泡処理を実行する制御装置を有する食器洗浄機。
【請求項２】
洗浄工程実行前に給水を開始してから所定水位に達するまでの時間に対して、洗浄工程実行開始後の所定時点で補水を開始してから所定水位に達するまでの時間が占める比率に基づいて、
(1)洗浄槽内で泡が発生していない状態、
(2)洗浄槽内で泡が発生しているが、洗浄水の入替え処理を実行すれば泡が除去される状態、
(3)洗浄槽内で泡が発生しており、消泡処理を実行しなければ泡が除去されない状態、
のいずれであるかを判定し、
前記(2)の状態と判定したときは、洗浄水の入替え処理を実行し、
前記(3)の状態と判定したときは、消泡処理を実行する制御装置を有する食器洗浄機。
【請求項３】
洗浄槽内で泡が発生した状態を判定したときは、洗浄槽内で泡が発生した状態であったことを報知する手段が付加されていることを特徴とする請求項１または２の食器洗浄機。
【発明の詳細な説明】
【技術分野】
【０００１】
本発明は、食器洗浄機に関する。
【背景技術】
【０００２】
食器洗浄機は、洗浄槽内に投入した専用洗剤と温水を混合した洗浄水によって、食器類を洗浄する。洗浄槽内に専用洗剤が投入されている限りは、洗浄工程で洗浄ポンプが作動して温水と洗剤を攪拌しても、ほとんど泡が発生することはない。しかしながら、例えば、使用者が専用洗剤と間違えて台所用中性洗剤等を投入した場合には、洗浄工程で洗浄ポンプが作動すると、ポンプが温水と洗剤を攪拌することによって、洗浄槽内に泡が大量に発生する。泡が大量に発生すると、洗浄水の一部が泡の形成に利用されて洗浄水が減少し、多量の空気がポンプに吸い込まれる。このような状態（エア噛み状態という）では、ポンプが空回りしてポンプの機能が著しく低下してしまう。
【０００３】
このため、特許文献１には、洗浄槽内の泡の異常発生を検知し、対処する技術が開示されている。この技術では、洗浄工程実行前に給水を開始してから所定水位に達するまでの時間に定数を乗算して、給水検知時間を求める。そして洗浄工程実行開始後の所定時点で補水を開始してから、給水検知時間以内に所定水位に達しない場合を、専用洗剤以外の洗剤の誤投入と判定し、泡の異常発生を検知している。
【０００４】
【特許文献１】特開２００１−３２７４５４号公報
【発明の開示】
【発明が解決しようとする課題】
【０００５】
洗浄槽内に泡が発生している状態であっても、その発生量は場合によって異なる。例えば、専用洗剤以外の洗剤を多量に誤投入した場合は、洗浄槽から漏れるおそれがあるほどの量の泡が発生する。この場合は、エア噛み状態の問題だけでなく、泡漏れの問題も生じてしまうため、十分に対処方法を講じる必要がある。一方、専用洗剤を使用していても生卵等が付着した食器類を洗浄した場合は、エア噛み状態の問題が生じるほどの泡が発生するが、前者の場合に比較すると発生量は少なく、洗浄槽内に収まる量で済むことが多い。したがって、後者の場合は、前者の場合とは異なったより簡易で短時間の対処方法で済む。
【０００６】
上記特許文献１の技術でも、定数等を変化させれば異常とする泡の発生量を増減できるが、異常か正常かを区別する閾値を増減するにすぎない。異常であっても泡の発生量に応じて対処方法を異ならせることは開示されておらず、泡の発生量が異なる場合でも一律に異常と判定して同じ対処方法を講ずることしかできない。したがって、より簡易で短時間の対処方法で済むケースでは、洗浄コストや洗浄に要する資源が余分に消費されてしまう。
【０００７】
本発明は、洗浄槽内に発生した泡の量の多少を判定し、泡の発生量に応じて異なる対処方法を講ずる。これにより、泡の量が非常に多い場合は、十分な対処方法を講じる一方、それよりも少ない場合は、簡易で短時間の対処方法を講じて、洗浄コストや洗浄に要する資源が余分に消費されることを防止する。
【課題を解決するための手段】
【０００８】
（課題を解決するための一つの手段）
本発明の食器洗浄機は、洗浄工程実行前に給水を開始してから所定水位に達するまでの時間に対して、洗浄工程実行開始後の所定時点で補水を開始してから所定水位に達するまでの時間が占める比率に基づいて、
(1)洗浄槽内で泡が発生していない状態、
(2)洗浄槽内で泡が発生しているが洗浄槽内に収まる状態、
(3)洗浄槽内で泡が発生しており洗浄槽から溢れるおそれのある状態、
のいずれであるかを判定し、
前記(2)の状態と判定したときは、洗浄水の入替え処理を実行し、
前記(3)の状態と判定したときは、消泡処理を実行する制御装置を有する。
この食器洗浄機が有する制御装置は、給水時間に対する補水時間の比と比較する参照比を、(1)と(2)の間の比の値、並びに(1)と(3)の間の比の値に設定することで、(1)〜(3)の判定を行う。
【０００９】
（その作用と効果）
洗浄工程実行前では、ポンプが作動しないため、どのような洗剤が投入されていても泡は発生しない。このため、給水を開始してから所定水位に達する時間は、洗剤の種類によらず一定である。
これに対し、洗浄工程実行開始後に補水する時点では、ポンプによって攪拌が行われ、台所用中性洗剤が誤投入されていたり、食器類に生卵等が付着しているときは、泡が発生して洗浄水が減少している。このため、洗浄工程実行開始後の所定時点で、所定水位を回復するための補水を行うと、補水に要する時間はまちまちとなる。泡が発生していない状態であれば、洗浄槽や食器類に付着した水滴分ほどの補水で済むため、短時間で補水が終了する。一方、泡が発生している状態であれば、その泡の形成に利用された水分だけの補水を行わなければならないため、補水に要する時間は長くなる。この場合も、泡が発生しているが洗浄槽内に収まるだけの発生量の場合と、洗浄槽から溢れるおそれのあるだけの発生量の場合とでは、補水に要する時間が異なってくる。
したがって、洗浄工程実行前に給水を開始してから所定水位に達するまでの時間に対して、洗浄工程実行開始後の所定時点で補水を開始してから所定水位に達するまでの時間が占める比率を求めれば、洗浄槽内で泡が発生していない状態か、洗浄槽内で泡が発生しているが洗浄槽内に収まる状態か、洗浄槽内で泡が発生しており洗浄槽から溢れるおそれのある状態のいずれであるかを判定することができる。
洗浄槽内で泡が発生しているが洗浄槽内に収まる状態では、泡の量が比較的少ない。したがって、洗浄水の入替え処理を実行するだけで、泡をエア噛みしないだけの量に減ずることができる。一方、洗浄槽内で泡が発生しており洗浄槽から溢れるおそれのある状態では、消泡処理を実行しなければならい。消泡処理を実行することによって、泡をエア噛みしないだけの量に減ずることができる。
本食器洗浄機では、洗浄槽内に発生した泡の量の多少を区別して判定し、泡の発生量の区分に応じて異なる対処方法を講ずる。これにより、泡の量が非常に多い場合は、十分な対処方法を講じることができる一方、それよりも少ない場合は、簡易で短時間の対処方法を講じることができ、洗浄コストや洗浄に要する資源が余分に消費されることが防止される。
【００１０】
（課題を解決するための一つの手段）
本発明の他の食器洗浄機は、洗浄工程実行前に給水を開始してから所定水位に達するまでの時間に対して、洗浄工程実行開始後の所定時点で補水を開始してから所定水位に達するまでの時間が占める比率に基づいて、
(1)洗浄槽内で泡が発生していない状態、
(2)洗浄槽内で泡が発生しているが、洗浄水の入替え処理を実行すれば泡が除去される状態、
(3)洗浄槽内で泡が発生しており、消泡処理を実行しなければ泡が除去されない状態、
のいずれであるかを判定し、
前記(2)の状態と判定したときは、洗浄水の入替え処理を実行し、
前記(3)の状態と判定したときは、消泡処理を実行する制御装置を有する。
この食器洗浄機が有する制御装置は、給水時間に対する補水時間の比と比較する参照比を、(1)と(2)の間の比の値、並びに(1)と(3)の間の比の値に設定することで、(1)〜(3)の判定を行う。
【００１１】
（その作用と効果）
洗浄工程実行前に給水を開始してから所定水位に達した時間に対して、洗浄工程実行開始後の所定時点で補水を開始してから所定水位に達した時間が占める比率を求めることによって、洗浄槽内に泡が発生しているか否かだけでなく、泡が発生しているが洗浄水の入替え処理を実行すれば泡が除去される状態なのか、消泡処理を実行しなければ泡が除去されない状態なのかまで区別して判定することができる。そして、各状態に応じた処理を実行することによって、泡をエア噛みしないだけの量に減ずることができる。
本食器洗浄機によれば、泡の発生量に応じて異なる対処方法を講ずることができ、泡の量が非常に多い場合は、十分な対処方法を講じることができる一方、それよりも少ない場合は、簡易で短時間の対処方法を講じることができ、洗浄コストや洗浄に要する資源が余分に消費されることが防止される。
【００１２】
（課題を解決するための好ましい手段）
洗浄槽内で泡が発生した状態を判定したときは、洗浄槽内で泡が発生した状態であったことを報知する手段が付加されていることが好ましい。
（その効果）
これにより、使用者は通常の運転とは異なる運転が行われたことを知ることができる。
【発明を実施するための最良の形態】
【００１３】
以下に説明する実施例の主要な特徴を最初に列記する。
（形態１）洗浄水の入替え処理では、クリーニング処理を１サイクル実行し、消泡処理では、クリーニング処理を複数サイクル実行する。クリーニング処理の１サイクルには、少なくとも「排水工程」、「給水工程」、「補水工程」が含まれる。
（形態２）報知手段は、洗浄工程実行中にも、洗浄槽内で泡が発生している状態であることを報知することができる。
【実施例】
【００１４】
図１は、本実施例の食器洗浄機の概略断面図を示す。なおこの図では、通常において食器洗浄機が有する部品が適宜省略されている。
食器洗浄機は、洗浄機本体１０によって外枠が構成されている。洗浄機本体１０の内部には、洗浄槽１２が収容されている。洗浄槽１２の前側（図１では左側）には、扉３４が取付けられている。扉３４の上部には、操作パネル２８が設けられている。操作パネル２８には、電源スイッチ、スタート／一時停止スイッチ、コース（「標準コース」「念入りコース」等）選択スイッチ等の各種操作スイッチや、報知ランプが備えられており、制御部３２に電気的に接続されている。制御部３２は、食器洗浄機の各部品の動作を制御する（制御部３２のブロック構成については後に詳述する）。
【００１５】
洗浄槽１２の背面の中間部の開口１２ａは、給水管１１の一端と繋がっている。給水管１１の途中には、給水弁８４が設けられている。給水管１１の他端１１ａは、食器洗浄機の外部の給水源８２に接続されている。
洗浄槽１２の背面の下側の開口１２ｂは、エア抜き管７８の一端と繋がっている。エア抜き管７８の他端は、後述する排水管５６に接続されている。エア抜き管７８は、排水管５６がサイホンとなって、排水が洗浄槽１２に逆流するのを防止する。
【００１６】
洗浄槽１２の底部には、開口部４９が形成されている。開口部４９の下方には、水溜め部５２が設けられている。
水溜め部５２には、第１管５４、第２管５５、排水管５６の一端が接続されている。第１管５４は、洗浄水が循環する管であり、その途中には、洗浄ポンプ５９が設けられている。第１管５４の他端５４ａは、洗浄槽１２の内部に達している。第１管５４の他端５４ａは、回転ノズル５８に接続されている。
第２管５５の他端には、水位検知ケース６２が取付けられている。水位検知ケース６２内には、フロート６０が配置されている。フロート６０の上方には、水位検知スイッチ６４が設けられている。水位検知スイッチ６４は、制御部３２に電気的に接続されている。
排水管５６の途中には、排水ポンプ７６が設けられている。排水管５６の他端５６ａは、食器洗浄機の外部の排水部７４に接続されている。
【００１７】
図２は、制御部３２のブロック構成図である。図２に示すように、制御部３２は、制御手段２と、駆動手段４と、レベル判定手段６と、タイマ手段８とを備えている。
制御手段２には、操作スイッチ入力部３０から各種スイッチ信号が入力される。操作スイッチ入力部３０は、操作パネル２８に備えられた各種操作スイッチから使用者の操作によって発せられた信号を入力する。制御手段２にはまた、水位検知スイッチ入力部６６から水位検知信号が入力される。水位検知スイッチ入力部６６は、フロート６０が水位検知スイッチ６４を押すことによって発せられた水位検知信号を入力する。
水位検知スイッチ入力部６６からは、レベル判定手段６にも水位検知信号が入力される。このレベル判定手段６には、タイマ手段８からも計時実行を指示する計時信号が入力される。レベル判定手段６は、水位検知スイッチ入力部６６からの水位検知信号とタイマ手段８からの計時信号に基づき、予め記憶されたプログラムに従って演算を行い、洗浄槽内の泡発生レベルを判定する。泡レベルは、レベル１＝正常状態、レベル２＝軽度のエア噛み状態（洗浄水の入替え処理を実行すれば泡を除去できる状態）、レベル３＝泡漏れ状態（消泡処理を実行すれば泡を除去できる状態）のいずれかに判定される。レベル判定手段６が出した泡発生レベルの判定結果は、制御手段２に入力される。
レベル判定手段６は、泡発生レベルのうち、レベル２かレベル３かを判別するために、図６に示す基準値を記憶している。基準値は、給水圧に応じて決定されている。給水圧は、図３（１）に示す洗浄処理での２番目の「給水工程」での給水時間ｋ０に応じて特定される。本実施例では、給水時間ｋ０が１２０秒となった場合は、給水圧が０〜０．５ｋｇ／ｃｍ２未満に特定され、給水時間ｋ０が５６秒となった場合は、給水圧が０．５〜１．０ｋｇ／ｃｍ２未満に特定され、給水時間ｋ０が４１秒となった場合は、給水圧が１．０〜１．５ｋｇ／ｃｍ２未満に特定され、給水時間ｋ０が３６秒となった場合は、給水圧が１．５ｋｇ／ｃｍ２以上に特定される。このように特定されるそれぞれの給水圧に応じて、基準値が決定されている。基準値の利用については、後に詳述する。
制御手段２は、上記の各入力に基づき、予め記憶された制御プログラムに従って、駆動手段４に排水ポンプ５９、給水弁８４、給水ポンプ５９を駆動するための駆動制御信号を与える。
【００１８】
次に、食器洗浄機の動作について説明する。図３（１）のタイミングチャートに示すように、食器洗浄機の実行する処理を大きく分けると、「洗浄処理」と複数回の「すすぎ処理」等となる。以下では、使用者のスイッチ操作によって「標準コース」が選択された場合の「洗浄処理」について説明する。
【００１９】
図３（１）のタイミングチャートに示すように、「洗浄処理」においては、「排水工程」「給水工程」「洗浄工程」「待ち工程」「補水工程」「Ａ工程」「洗浄工程」が行われる。このうち「Ａ工程」は、泡発生レベルによって動作態様が異なる（詳細は後述する）。
網掛けされた部分は、各工程において作動する部品を表している。その下には各工程における所要時間が示されている。
【００２０】
図４と図５のフローチャートを参照して、「洗浄処理」の各工程における詳細な手順を説明する。
最初に使用者のスイッチ操作によって、操作スイッチ入力部３０から運転スタート信号が制御手段２に入力される。これにより「排水工程」が開始され、駆動手段４によって排水ポンプ７６が始動される（ステップＳ１０２）。図３（１）に示すように、約４０秒後に、排水ポンプ７６が停止され（図４のステップＳ１０４）、「排水工程」が終了する。
【００２１】
次いで図３（１）に示す「給水工程」が開始され、給水弁８４が開かれる（図４のステップＳ１０６）。すると、給水源８２から給水管１１を通じて洗浄槽１２内に給水される。同時にタイマ手段８からレベル判定手段６に計時信号が送られ、レベル判定手段６が給水開始から計時を開始する。給水が継続されると、水位検知ケース６２内のフロート６０が上昇する。洗浄槽１２の水位が所定の水位に達し、フロート６０の上端が水位検知スイッチ６４に当たると、水位検知スイッチ６４がＯＮする（ステップＳ１０８でＹＥＳ）。すると、その水位検知信号が、水位検知スイッチ入力部６６から、制御手段２とレベル判定手段６に送られる。制御手段２から駆動手段４に駆動信号が送られ、給水弁８４が閉じられる（ステップＳ１１０）。これにより、「給水工程」が終了する。またレベル判定手段６は計時を終了し、計時した給水時間ｋ０（給水開始から水位検知信号入力までの時間）を記憶する（ステップＳ１１２）。
【００２２】
続いて洗浄ポンプ５９が始動され（ステップＳ１１４）、図３（１）に示す「洗浄工程」が開始される。洗浄ポンプ５９が３００秒駆動されると、その後一時停止される（図４のステップＳ１１６）。
専用洗剤が使用されていても生卵等が付着した食器が洗浄された場合や、台所用中性洗剤が誤投入されている場合は、洗浄ポンプ５９の駆動によって、洗浄槽内で水と洗剤が攪拌されて泡が発生し、水位が低下している。水位が低下するのは、洗浄水の一部が泡の形成に利用されて洗浄水が減少するためである。このように泡が発生した場合のために、図３（１）に示す「待ち工程」において洗浄ポンプ５９を一時停止する。すると、洗浄槽１２と水位検知ケース６２の水位の不均衡によって、洗浄槽１２から水位検知ケース６２へ泡と洗浄水が流入する。１０秒程度で均衡水位を回復することができるため（図４のステップＳ１１８）、その時点で給水弁８４を開き（ステップＳ１２０）、図３（１）に示す「補水工程」を開始する。同時にタイマ手段８からレベル判定手段６に計時信号が送られ、レベル判定手段６が補水開始から計時を開始する。
洗浄槽１２の水位が所定の水位に達し水位検知スイッチ６４がＯＮするまで補水が継続されると（図４のステップＳ１２２）、給水弁８４が閉じられる（ステップＳ１２４）。これにより、図３（１）に示す「補水工程」が終了する。
【００２３】
このとき、レベル判定手段６は計時を終了し、記憶した給水時間ｋ０に対する補水時間ｈ０の比率を計算する（図５のステップＳ１２８）。上記したように、泡が発生した場合は、洗浄槽１２内の水位が「給水工程」の終了時点よりも低下している。フロート６０は、水に対しては浮力が働くが、泡に対しては沈降する。このため、水位検知ケース６２内に泡が入り込んでいても、フロート６０は洗浄槽１２内の水位に応じて低い位置にある。補水によって「給水工程」の終了時点の水位を回復すると、水位検知スイッチ６４がＯＮされて「補水工程」が終了するため、補水時間ｈ０を泡の発生量とみなすことができる。すなわち、水位を回復するまでのｈ０が短いほど泡の発生量が少ないと考えられる。よって、ステップＳ１３０において、比率が０．１未満と計算された場合は、専用洗剤が使用されており泡もほとんど発生していない状態（正常状態）と判定される（ステップＳ１３０でＹＥＳ）。この場合は、図３（１）に示す「Ａ工程」においてはレベル１モードの運転が実行される（ステップＳ１３２）。図３（２）に示すように、レベル１モードでは、そのまま次の「洗浄工程」に移行するため、図５のステップＳ１４０において洗浄ポンプ７６が駆動される。
【００２４】
一方、図５のステップＳ１２８において、比率が０．１を超えると計算された場合は、泡が発生していると判定され（ステップＳ１３０でＮＯ）、図３（１）に示す「Ａ工程」ではレベル２モードの運転が実行される（ステップＳ１３４）。
図３（２）に、レベル２モード運転の詳細が示されている。レベル２モードでは洗浄水の入替え処理が実行される。洗浄水の入替え処理では、クリーニング処理が１サイクル行われる。サイクル中の１回目の「排水工程」は泡を排出することを目的とし、１回目の「給水工程」と２回目の「排水工程」は、洗浄槽内の残泡を希釈して排出することを目的とし、２回目の「給水工程」と「洗浄工程」は残留洗剤で泡を生成しておいてから消泡することを目的として行われる。続く「待ち工程」と「補水工程」は、その後にレベル３モード運転に移行するか否かの判定をすることを目的として行われる。このようにクリーニング処理が１サイクル実行されると、洗浄槽１２内の洗浄水が入替えられる。
【００２５】
１サイクル終了時点では、図５のステップＳ１３６において、｛ｈ１＋（ｋ０−ｋ１）｝／ｋ０を計算する。ここで、ｈ１はレベル２モードでの「補水工程」での補水時間、ｋ０は最初の「給水工程」での給水時間、ｋ１はサイクル中の２回目の「給水工程」での給水時間を示す。この計算によって、泡レベルが判定される。
なお、上記したように補水時間ｈ１を泡の発生量とみなすことができるが、ここではｈ１に（ｋ０−ｋ１）を加算した値を泡の発生量とみなしている。（ｋ０−ｋ１）も泡の量とみなすのは、給水時間ｋ１では残泡を希釈しながら給水されるため、泡が消えて洗浄水に変化した分だけｋ０よりもｋ１の方が短く済み、その差分を泡の量とみなすことができるためである。ｈ１に（ｋ０−ｋ１）を加算した値によって、ｋ０に対する比率を計算すれば、値の小さいｈ１だけで計算する場合に比して、泡レベルの判定誤差が小さくなる。
このように計算された比率が、図６に示す基準値を下回る場合は、泡が発生しているが洗浄槽に収まる量の状態（軽度のエア噛み状態）であったと判定される（図５のステップＳ１３６でＹＥＳ）。この基準値は、エア噛み状態の解消値でもあり、ここで基準値を下回ればエア噛みの状態が軽度であったと考えられるためである。例えば、専用洗剤が使用されているが、生卵等が付着した食器が洗浄されて泡が発生しており、水と空気が混合した状態で洗浄ポンプ５９が作動している場合等である。このように軽度のエア噛み状態と判定された場合は、洗浄水の入替え処理を実行するだけで泡をエア噛みしない量に減らすことができるため、ここで「Ａ工程」を終了する。
その後、図５のステップＳ１４０において洗浄ポンプ７６が駆動され、図３（１）に示す最後の「洗浄工程」に移行する。
【００２６】
一方、図５のステップＳ１３６において、計算された比率が基準値を超える場合は、泡が大量に発生し、洗浄槽から漏れるおそれのある状態（泡漏れ状態）と判定される（ステップＳ１３６でＮＯ）。例えば、台所用中性洗剤が多量に誤投入された場合等である。この場合は、レベル３モードの運転に移行する（ステップＳ１３８）。
レベル３モードでは消泡処理が実行される。図３（２）に示すように、消泡処理では、｛ｈｎ＋（ｋ０−ｋｎ）｝／ｋ０［ｎ；サイクル数］の値が基準値未満に達するまで、クリーニング処理のサイクルが繰り返し行われる。サイクルを繰り返すにつれて徐々に泡が消えていくので、補水時間ｈｎは短くなる一方、給水時間ｋｎは長くなり、｛ｈｎ＋（ｋ０−ｋｎ）｝／ｋ０の値が小さくなっていく。この値が基準値未満に達すると、仕上げとして更に３サイクルのクリーニング処理が行われる。これにより、泡がエア噛みしない量にまで減らされ、「Ａ工程」が終了する。
その後、図５のステップＳ１４０において洗浄ポンプ７６が駆動され、図３（１）に示す最後の「洗浄工程」に移行する。
【００２７】
最後の「洗浄工程」が約９００秒実行されると、洗浄ポンプ７６が停止され（図５のステップＳ１４２）、図３（１）に示す「洗浄処理」が終了する。
【００２８】
続いて図３（１）に示す複数回の「すすぎ処理」等が実行される。そして食器洗浄機が実行する全ての処理が終了したときに、「洗浄処理」において軽度のエア噛み状態又は泡漏れ状態であったことが、報知ランプによって報知される。
【００２９】
以上のように、本実施例の食器洗浄機は、正常状態、軽度のエア噛み状態、泡漏れ状態を区別して判定し、軽度のエア噛み状態と泡漏れ状態では異なるモードの運転を行う。これにより、軽度のエア噛み状態では、洗浄水の入替え処理を実行するだけで泡が除去されて、洗浄コストや洗浄に要する資源が余分に消費されることが防止される一方、泡漏れ状態では、消泡処理を実行することによって、十分に泡が除去される。
【００３０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
・本実施例では、報知ランプによって、軽度のエア噛み状態又は泡漏れ状態であったことを報知していたが、これに限られるものではない。例えばブザー音や、振動等によって報知してもよい。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００３１】
【図１】食器洗浄機の概略断面図である。
【図２】制御装置のブロック構成を示す図である。
【図３】食器洗浄機の動作についてのタイミングチャートである。
【図４】「洗浄処理」の詳細な手順を示すフローチャートである。
【図５】「洗浄処理」の詳細な手順を示すフローチャートである。
【図６】泡レベルを判定するための基準値を示す図である。
【符号の説明】
【００３２】
１０：食器洗浄機本体、
１１：給水管、
１２：洗浄槽、
３２：制御装置、
５４：第１管、
５５：第２管、
５６：排水管、
５９：洗浄ポンプ、
６０：フロート、
６４：水位検知スイッチ、
７６：排水ポンプ、
８４：給水弁
【図１】
2005130979.tif 000003
【図２】
2005130979.tif 000004
【図３】
2005130979.tif 000005
【図４】
2005130979.tif 000006
【図５】
2005130979.tif 000007
【図６】
2005130979.tif 000008